(57)【特許請求の範囲】
【請求項１】
装置本体の奥部の一方側に水平向きに配置された駆動モータと、この駆動モータの軸部分に水平向き設けられたスクリューギヤとこのスクリューギヤと噛み合い水平回転する駆動ギヤとからなる駆動系と、この駆動系の駆動ギヤによってそれぞれ回動され、前記装置本体の前部側に向けて併設された複数のギヤからなるギヤ群と、このギヤ群の最前列のギヤと噛み合う水平ギヤ部と軸部が縦向きの傘歯車とを有する第１二重ギヤと、この第１二重ギヤの傘歯車と噛み合う軸部が水平向きの傘歯車と垂直向きのギヤ歯とを有する第２二重ギヤと、この第２二重ギヤのギヤ歯に噛み合うギヤ歯部材とこのギヤ歯部材に下側から接して噛み合う従動ギヤと前記ギヤ歯部材と前記従動ギヤの中心部から横方向に延設され上下間にディスクが接して入り込む間隙を設けた上下２本のディスク移動用の長尺ローラと、前記上下２本の長尺ローラ側に若干入り込んだり装置本体内に入り込んだりする平板部材の前部に設けられ前記第２二重ギヤ側に向けて奥側に屈曲形成された左右二列の略へ字形のガイド溝部と、これらガイド溝部に嵌まり込んで左右にガイド移動される軸部を有するカムスライダーと、このカムスライダーの前記ギヤ群側に左右向きに一体に突設され前記ギヤ群の一つのギヤに一体に設けられたラック用ギヤ歯部に噛み合い左右移動されて前記カムスライダを横方向に移動させるラック部と、前記カムスライダーの縦壁部に斜め上向きに傾斜して穿設されたカム溝と、前記ディスクをチャッキングするチャッキング機構部の前部から前向きに突設されて前記斜め上向きのカム溝に入り込んで前記カムスライダーが左右移動することによって上下移動されてチャッキング機構部を上下移動するための突出ピンと、前記駆動系の駆動ギヤと一体に設けられたラック用ギヤ歯部と噛み合い前記ディスクを読み取り操作する光学系が設けられたピックアップを前後移動するためにピックアップの側端に一体に形成されたピニオン歯とを有し、前記１つの駆動モータの回転駆動で、前記ディスクの出し入れ移動と前記チャッキング機構部の上下移動と前記ピックアップの前後移動とを自動的に行うように構成したことを特徴とするディスク装置。
【請求項２】
前記装置本体の前部側に向けて併設された複数のギヤからなるギヤ群と、このギヤ群を回転駆動するための駆動モータと駆動ギヤとを含む駆動系と、前記ギヤ群の最前列のギヤと噛み合う水平ギヤ部と軸部が縦向きの傘歯車とを有する第１二重ギヤと、この第１二重ギヤの傘歯車と噛み合う軸部が水平向きの傘歯車と垂直向きのギヤ歯とを有する第２二重ギヤと、この第２二重ギヤのギヤ歯に噛み合うギヤ歯部材とこのギヤ歯部材に下側から接して噛み合う従動ギヤと前記ギヤ歯部材と前記従動ギヤの中心部から横方向に延設され上下間にディスクが接して入り込む間隙を設けた上下２本のディスク移動用の長尺ローラと、この長尺ローラに対して近離移動する平板部材の前部に設けられ前記第２二重ギヤ側に向けて奥側に屈曲形成された左右二列の斜め向きのガイド溝部と、これらガイド溝部に嵌まり込んで左右にガイド移動される軸部を有するカムスライダーと、このカムスライダーの前記ギヤ群側に左右向きに一体に突設され前記ギヤ群の一つのギヤに一体に設けられたラック用ギヤ歯部に噛み合い左右移動されて前記カムスライダを横方向に移動させるラック部と、前記カムスライダーの縦壁部に斜め上向きに傾斜して穿設されたカム溝と、前記ディスクをチャッキングするチャッキング機構部の前部から前向きに突設されて前記カム溝に入り込んで前記カムスライダーが左右移動することによって上下移動されてチャッキング機構部を上下移動するための突出ピンと、前記駆動系の駆動ギヤと一体に設けられたラック用ギヤ歯部と噛み合い前記ディスクを読み取り操作する光学系が設けられたピックアップを前後移動するためにピックアップの側端に一体に形成されたピニオン歯とを有し、前記１つの駆動モータの回転駆動で、前記ディスクの出し入れ移動と前記チャッキング機構部の上下移動と前記ピックアップの前後移動とを自動的に行うように構成したことを特徴とするディスク装置。
【発明の詳細な説明】
【０００１】
【発明の属する技術分野】
本発明は、ディスク装置に関し、特に、１つの駆動モータの回転駆動で、ディスクの出し入れ移動とチャッキング機構部の上下移動とピックアップの前後移動とを自動的に行うようにしたディスク装置に関する。
【０００２】
【従来の技術】
従来のディスク装置においては、ディスクをセットしたトレイを出し入れするための駆動モータと、チャッキング機構部を上下移動するための駆動モータと、ピックアップを前後移動させるための駆動モータは、それぞれ別個に装置本体内に配置されていた。
このために、駆動モータの数が多くなって部品点数が多くなり、しかもそれぞれの駆動モータの配線も多くなるという問題があった。
また、ディスクはトレイの上にセットされた状態でこのディスクを出し入れしていたので、トレイを必要として構造が複雑であり、この点でも部品点数が多いという問題があった。
【０００３】
また、特開２０００−２９８９０３号公報には、ディスクプレーヤが記載されている。
これは、図５、図６、図７に示すように、ディスクプレーヤは、単一個の駆動モータ１０１と、モータギヤ列１０２と、ディスクギヤ列１０３と、スライダー１０４と、ピックアップギヤ列１０６と、駆動切り換え機構１０７とを備えており、駆動切り換え機構１０７は、揺動アーム１１１と、揺動させられてディスクギヤ列１０３及びピックアップギヤ列１０６の一方を構成する所定のギヤ１１９、１２０と噛み合うと共に、駆動モータ１０１の正転時にはディスクギヤ列１０３から離間する方向に沿って回転し、かつ、駆動モータ１０１の逆転時にはピックアップギヤ列１０６から離間する方向に沿って回転している切り換えギヤ１１２と、第１及び第２のフック部材１１３、１１５と、第１及び第２のフック付勢部材１１４、１１６と、仲介部材１１７とを具備しているものである。
ところが、これにおいては、部品点数が多くなり、本発明と比較すると駆動する機構が異なっているものであった。
【０００４】
また、特開平７−７３６１０号公報には、ミニディスクプレーヤの駆動装置が記載されている。
これは、図８（ａ）（ｂ）に示すように、モータ２１７により回転する動力伝達ギヤ２１８と、動力伝達ギヤ２１８と平面接触する摩擦手段と、摩擦手段と平面接触して動力伝達ギヤ２１８の回転方向に応じて回動するリンク２２０と、リンク２２０の一端に形成されて動力伝達ギヤ２１８によって回転される遊び歯車２１９と、リンク２２０の回転半径内に形成されてディスクのローディング／アンローディング時、遊び歯車２１９と選択的に噛み合って回転しながらカート案内ブラケットを往復運動させるローディングギヤ２２２と、リンク２２０の回転半径内に形成され、ピックアップ駆動ギヤ２２５と、遊び歯車２１９がローディングギヤ２２２またはピックアップ駆動ギヤ２２５とぴったり噛み合って正または逆回転する様に遊び歯車を一定の位置にロッキングさせる第１、第２ロッキング手段とからなるものである。
ところが、これにおいては、遊び歯車２１９を使用しているので、歯車同士のギヤ歯の噛み合いが不安定になる場合があるという問題があった。
【０００５】
また、特開平７−１６９１６７号公報には、フロントローディングディスクプレーヤーが記載されている。
これは、図９（ａ）（ｂ）に示すように、上端一部分にラックギヤー部３３０を有するピックアップユニット３６０、移動板３１２、多数のギヤー３２４、３２６、３３２、３３４とリードスクリュー３２８とを含むピックアップユニット駆動部、及びピックアップユニット３６０と移動板３１２とが歯合された多数のギヤー３２４、３２６、３３２、３３４を有するディスクローディング／アンローディング部３７５を含むものである。
ところが、これにおいては、リードスクリュー３２８が長尺のものであるので、ピックアップユニット３６０の動作が不安定になりやすく、しかも長尺のリードスクリュー３２８の製造コストが高くなるという問題があった。
【０００６】
また、特開平７−２６２６６８号公報には、ミニディスクプレーヤーの駆動装置が記載されている。
これは、図１０（ａ）（ｂ）に示すように、デック４０６に固設されたモータ４２２と多数のギヤトレーンとからなる駆動部と、モータ４２２の駆動によって回転し、内部にカム溝４２６が形成されたカム４２４と、カム溝４２６に一端が挿入されてカム４２４の回転に応じて位置が可変されるディスクローディングが完了された後、続くカム４２４の回転によってピックアップ４１６を駆動させるピックアップ駆動部と、カム４２４の回転によって連動する磁気ヘッド４１７のローディング部とから構成されるものである。
ところが、これにおいては、本発明では使用していないカム４２４を使用しているものであった。
【０００７】
【発明が解決しようとする課題】
本発明は、上記従来の問題を解し、１つの駆動モータで、ディスクの出し入れ移動とチャッキング機構部の上下移動とピックアップの前後移動とを自動的に行うことができて、駆動モータの数を削減することができてコストダウンを図れ、装置本体内の省スペース化を図れて装置全体を小型化でき、構造を比較的簡単化することができるディスク装置を提供することを目的としている。
【０００８】
【課題を解決するための手段】
本発明は、上記課題を解決するために提案されたものであって、請求項１に記載の発明は、装置本体の奥部の一方側に水平向きに配置された駆動モータと、この駆動モータの軸部分に水平向き設けられたスクリューギヤとこのスクリューギヤと噛み合い水平回転する駆動ギヤとからなる駆動系と、この駆動系の駆動ギヤによってそれぞれ回動され、前記装置本体の前部側に向けて併設された複数のギヤからなるギヤ群と、このギヤ群の最前列のギヤと噛み合う水平ギヤ部と軸部が縦向きの傘歯車とを有する第１二重ギヤと、この第１二重ギヤの傘歯車と噛み合う軸部が水平向きの傘歯車と垂直向きのギヤ歯とを有する第２二重ギヤと、この第２二重ギヤのギヤ歯に噛み合うギヤ歯部材とこのギヤ歯部材に下側から接して噛み合う従動ギヤと前記ギヤ歯部材と前記従動ギヤの中心部から横方向に延設され上下間にディスクが接して入り込む間隙を設けた上下２本のディスク移動用の長尺ローラと、前記上下２本の長尺ローラ側に若干入り込んだり装置本体内に入り込んだりする平板部材の前部に設けられ前記第２二重ギヤ側に向けて奥側に屈曲形成された左右二列の略へ字形のガイド溝部と、これらガイド溝部に嵌まり込んで左右にガイド移動される軸部を有するカムスライダーと、このカムスライダーの前記ギヤ群側に左右向きに一体に突設され前記ギヤ群の一つのギヤに一体に設けられたラック用ギヤ歯部に噛み合い左右移動されて前記カムスライダを横方向に移動させるラック部と、前記カムスライダーの縦壁部に斜め上向きに傾斜して穿設されたカム溝と、前記ディスクをチャッキングするチャッキング機構部の前部から前向きに突設されて前記斜め上向きのカム溝に入り込んで前記カムスライダーが左右移動することによって上下移動されてチャッキング機構部を上下移動するための突出ピンと、前記駆動系の駆動ギヤと一体に設けられたラック用ギヤ歯部と噛み合い前記ディスクを読み取り操作する光学系が設けられたピックアップを前後移動するためにピックアップの側端に一体に形成されたピニオン歯とを有し、前記１つの駆動モータの回転駆動で、前記ディスクの出し入れ移動と前記チャッキング機構部の上下移動と前記ピックアップの前後移動とを自動的に行うように構成したことを特徴としている。
【０００９】
請求項２に記載の発明は、前記装置本体の前部側に向けて併設された複数のギヤからなるギヤ群と、このギヤ群を回転駆動するための駆動モータと駆動ギヤとを含む駆動系と、前記ギヤ群の最前列のギヤと噛み合う水平ギヤ部と軸部が縦向きの傘歯車とを有する第１二重ギヤと、この第１二重ギヤの傘歯車と噛み合う軸部が水平向きの傘歯車と垂直向きのギヤ歯とを有する第２二重ギヤと、この第２二重ギヤのギヤ歯に噛み合うギヤ歯部材とこのギヤ歯部材に下側から接して噛み合う従動ギヤと前記ギヤ歯部材と前記従動ギヤの中心部から横方向に延設され上下間にディスクが接して入り込む間隙を設けた上下２本のディスク移動用の長尺ローラと、この長尺ローラに対して近離移動する平板部材の前部に設けられ前記第２二重ギヤ側に向けて奥側に屈曲形成された左右二列の斜め向きのガイド溝部と、これらガイド溝部に嵌まり込んで左右にガイド移動される軸部を有するカムスライダーと、このカムスライダーの前記ギヤ群側に左右向きに一体に突設され前記ギヤ群の一つのギヤに一体に設けられたラック用ギヤ歯部に噛み合い左右移動されて前記カムスライダを横方向に移動させるラック部と、前記カムスライダーの縦壁部に斜め上向きに傾斜して穿設されたカム溝と、前記ディスクをチャッキングするチャッキング機構部の前部から前向きに突設されて前記カム溝に入り込んで前記カムスライダーが左右移動することによって上下移動されてチャッキング機構部を上下移動するための突出ピンと、前記駆動系の駆動ギヤと一体に設けられたラック用ギヤ歯部と噛み合い前記ディスクを読み取り操作する光学系が設けられたピックアップを前後移動するためにピックアップの側端に一体に形成されたピニオン歯とを有し、前記１つの駆動モータの回転駆動で、前記ディスクの出し入れ移動と前記チャッキング機構部の上下移動と前記ピックアップの前後移動とを自動的に行うように構成したことを特徴としている。
【００１０】
【発明の実施の形態】
以下、本発明に係るディスク装置の実施の形態について、図を参照しつつ説明する。
図１は本発明の実施形態のディスク装置を示し、ディスクを装置本体内にセットした状態の概略平面図、図２は同装置におけるディスクを外部に向けて移動する状態を示す概略平面図、図３は同装置におけるディスクを装置本体内から外部へ移動するための上下２本の長尺ローラとその間隙にディスクが入り込んだ状態を示す部分正面図、図４は同装置におけるチャッキング機構部を上下移動するための上下移動機構部分を示し、（ａ）はそのチャッキング機構部が下側に位置している状態の部分正面図、（ｂ）はそのチャッキング機構部が上側に移動された状態の部分正面図である。
【００１１】
本実施形態のディスク装置は、図１、図２に示すように、装置本体１内にディスクＤをターンテーブル２とクランパ３でチャッキングしてセットするためのチャッキング機構部４と、セットされて回動されるディスクＤを読み取り操作する光学系５を有するピックアップ６とが備えられている。
そして、装置本体１の奥部の一方側に水平向きに配置された駆動モータ７と、この駆動モータ７の軸部分に水平向き設けられたスクリューギヤ８とこのスクリューギヤ８と噛み合い水平回転する駆動ギヤ９とからなる駆動系１０と、この駆動系１０の駆動ギヤ９によってそれぞれ回動され、装置本体１の前部側に向けて併設された複数のギヤからなるギヤ群１１とを有している。
【００１２】
更に、このギヤ群１１の最前列のギヤ１２と噛み合う水平ギヤ部１３ａと軸部が縦向きの傘歯車１３ｂとを有する第１二重ギヤ１３と、この第１二重ギヤ１３の傘歯車１３ｂと噛み合う軸部が水平向きの傘歯車１４ａと垂直向きのギヤ歯１４ｂとを有する第２二重ギヤ１４と、この第２二重ギヤ１４のギヤ歯１４ｂに噛み合うギヤ歯部材１５とこのギヤ歯部材１５に下側から接して噛み合う従動ギヤ１６（図３参照）とギヤ歯部材１５と従動ギヤ１６の中心部から横方向に延設され上下間にディスクＤが接して入り込む間隙１７を設けた上下２本のディスク移動用の長尺ローラ１８、１９と、この長尺ローラ１８、１９の他端に設けられ互いに接して回動するローラ２０、２１とを有している。
【００１３】
また、上下２本の長尺ローラ１８、１９側に若干入り込んだり装置本体１内に入り込んだりする平板部材２２の前部に設けられ第２二重ギヤ１４側に向けて奥側に屈曲形成された左右二列の略へ字形のガイド溝部２２ａ、２２ａと、これらガイド溝部２２ａ、２２ａに嵌まり込んで左右にガイド移動される軸部２３ａ、２３ａを有するカムスライダー２３と、このカムスライダー２３のギヤ群１１側に左右向きに一体に突設されギヤ群１１の最前列のギヤ１２に一体に設けられたラック用ギヤ歯部１２ａに噛み合い左右移動されてカムスライダー２３を横方向に移動させるラック部２４と、図４（ａ）（ｂ）にも示すように、カムスライダー２３の縦壁部２３ｂに斜め上向きに傾斜して穿設されたカム溝２３ｃと、ディスクＤをチャッキングするチャッキング機構部４の前部から前向きに突設されて斜め上向きのカム溝２３ｃに入り込んでカムスライダー２３が左右動することによって上下移動されてチャッキング機構部４を上下移動するための突出ピン２５とを有している。
【００１４】
しかも、駆動系１０の駆動ギヤ９と一体に設けられたラック用ギヤ歯部９ａと噛み合いディスクＤを読み取り操作する光学系５が設けられたピックアップ６を前後移動するためいにピックアップ６の側端に一体に形成されたピニオン歯２６とを有している。
尚、チャッキング機構部４は平板部材２２の奥端部内側に突設された係止ピン２７、２７に係止されて図にて左右への移動を阻止されている。
また、図１、図２に示すように、カムスライダー２３の横方向への移動を、図において上下方向略中央部で左寄り部分に設けたトリガー２８と同期させてもよい。
【００１５】
そして、上記構成により、駆動モータ７を駆動回転して駆動系１０のスクリューギヤ８を回転し、このスクリューギヤ８と噛み合う駆動ギヤ９を回転駆動すると、この駆動ギヤ９に噛み合うギヤ群１１の第１ギヤ１１Ａと第２ギヤ１１Ｂと第３ギヤ１１Ｃと第４ギヤ１１Ｄと最前列のギヤ１２とが回転され、更に、このギヤ１２に水平ギヤ部１３ａが噛み合う第１二重ギヤ１３が回転され、この第１二重ギヤ１３の傘歯車１３ｂと傘歯車１４ａが噛み合う第２二重ギヤ１４が回転し、この第２二重ギヤ１４の垂直向きのギヤ歯１４ｂに噛み合うギヤ歯部材１５が回転して、このギヤ歯部材１５に噛み合う従動ギヤ１６も反対方向に回転されて、これらギヤ歯部材１５と従動ギヤ１６とローラ２０、２１間の長尺ローラ１８、１９が互いに逆向きに正回転されて、これら長尺ローラ１８、１９間の間隙１７に入り込むディスクＤが装置本体１内に向けて移動してセットされ、あるいは長尺ローラ１８、１９が逆回転されてディスクＤが装置本体１内から外部に出される方向に移動する。
【００１６】
更に、カムスライダー２３のラック部２４がギヤ群１１の最前列のギヤ１２のラック用ギヤ部１２ａの回転によって、カムスライダー２３が図１、図２にて左右方向に移動され、このとき、平板部材２２の左右二列の略へ字形のガイド溝部２２ａ、２２ａにカムスライダー２３の軸部２３ａ、２３ａが嵌まり込んでいるので、平板部材２２は長尺ローラ１８、１９側に入り込んだり装置本体１内に入り込んだりして前後方向に移動する。
また、カムスライダー２３の縦壁部２３ｂに穿設された斜め上向きのカム溝２３ｃにチャッキング機構部４の突出ピン２５が入り込んでいるので、カムスライダー２３が左右方向に移動することによって、チャッキング機構部４は上下移動し、上向きに移動したときに、ターンテーブル２が上方向に移動して、このターンテーブル２とクランパ３とでディスクＤがチャッキングされてセットされる。しかも、駆動ギヤ９の回転によって、この駆動ギヤ９のラック用ギヤ歯部９ａと噛み合うピニオン歯２６を有するピックアップ６が前後移動し、このピックアップ６の光学系５で、回転しているディスクＤの読み取り操作が行われる。
【００１７】
したがって、本実施形態のディスク装置によれば、１つの駆動モータ７で、ディスクＤの装置本体１内への出し入れ移動とチャッキング機構部４の上下移動とピックアップ６の前後移動とを自動的に行うことができて、駆動モータの数を削減することができてコストダウンを図れ、装置本体１内の省スペース化を図れて装置全体を小型化でき、構造を比較的簡単化することができる。
しかも、駆動モータ７とスクリューギヤ８が装置本体１内に水平向きに配置されているので、上下幅を小さくできて、装置全体の薄型化を図ることができる。
【００１８】
【発明の効果】
以上説明したように、請求項１に記載の発明は、装置本体の奥部の一方側に水平向きに配置された駆動モータと、この駆動モータの軸部分に水平向き設けられたスクリューギヤとこのスクリューギヤと噛み合い水平回転する駆動ギヤとからなる駆動系と、この駆動系の駆動ギヤによってそれぞれ回動され、装置本体の前部側に向けて併設された複数のギヤからなるギヤ群と、このギヤ群の最前列のギヤと噛み合う水平ギヤ部と軸部が縦向きの傘歯車とを有する第１二重ギヤと、この第１二重ギヤの傘歯車と噛み合う軸部が水平向きの傘歯車と垂直向きのギヤ歯とを有する第２二重ギヤと、この第２二重ギヤのギヤ歯に噛み合うギヤ歯部材とこのギヤ歯部材に下側から接して噛み合う従動ギヤとギヤ歯部材と従動ギヤの中心部から横方向に延設され上下間にディスクが接して入り込む間隙を設けた上下２本のディスク移動用の長尺ローラと、上下２本の長尺ローラ側に若干入り込んだり装置本体内に入り込んだりする平板部材の前部に設けられ第２二重ギヤ側に向けて奥側に屈曲形成された左右二列の略へ字形のガイド溝部と、これらガイド溝部に嵌まり込んで左右にガイド移動される軸部を有するカムスライダーと、このカムスライダーのギヤ群側に左右向きに一体に突設されギヤ群の一つのギヤに一体に設けられたラック用ギヤ歯部に噛み合い左右移動されてカムスライダを横方向に移動させるラック部と、カムスライダーの縦壁部に斜め上向きに傾斜して穿設されたカム溝と、ディスクをチャッキングするチャッキング機構部の前部から前向きに突設されて斜め上向きのカム溝に入り込んでカムスライダーが左右移動することによって上下移動されてチャッキング機構部を上下移動するための突出ピンと、駆動系の駆動ギヤと一体に設けられたラック用ギヤ歯部と噛み合いディスクを読み取り操作する光学系が設けられたピックアップを前後移動するためにピックアップの側端に一体に形成されたピニオン歯とを有し、１つの駆動モータの回転駆動で、ディスクの出し入れ移動とチャッキング機構部の上下移動とピックアップの前後移動とを自動的に行うように構成したので、以下に述べる効果を奏する。
【００１９】
即ち、１つの駆動モータで、ディスクの装置本体内への出し入れ移動とチャッキング機構部の上下移動とピックアップの前後移動とを自動的に行うことができて、駆動モータの数を削減することができてコストダウンを図れ、装置本体内の省スペース化を図れて装置全体を小型化でき、構造を比較的簡単化することができる。
しかも、駆動モータとスクリューギヤが装置本体内に水平向きに配置されているので、上下幅を小さくできて、装置全体の薄型化を図ることができる。
【００２０】
請求項２に記載の発明は、装置本体の前部側に向けて併設された複数のギヤからなるギヤ群と、このギヤ群を回転駆動するための駆動モータと駆動ギヤとを含む駆動系と、ギヤ群の最前列のギヤと噛み合う水平ギヤ部と軸部が縦向きの傘歯車とを有する第１二重ギヤと、この第１二重ギヤの傘歯車と噛み合う軸部が水平向きの傘歯車と垂直向きのギヤ歯とを有する第２二重ギヤと、この第２二重ギヤのギヤ歯に噛み合うギヤ歯部材とこのギヤ歯部材に下側から接して噛み合う従動ギヤとギヤ歯部材と前記従動ギヤの中心部から横方向に延設され上下間にディスクが接して入り込む間隙を設けた上下２本のディスク移動用の長尺ローラと、この長尺ローラに対して近離移動する平板部材の前部に設けられ第２二重ギヤ側に向けて奥側に屈曲形成された左右二列の斜め向きのガイド溝部と、これらガイド溝部に嵌まり込んで左右にガイド移動される軸部を有するカムスライダーと、このカムスライダーのギヤ群側に左右向きに一体に突設されギヤ群の一つのギヤに一体に設けられたラック用ギヤ歯部に噛み合い左右移動されてカムスライダを横方向に移動させるラック部と、カムスライダーの縦壁部に斜め上向きに傾斜して穿設されたカム溝と、ディスクをチャッキングするチャッキング機構部の前部から前向きに突設されてカム溝に入り込んでカムスライダーが左右移動することによって上下移動されてチャッキング機構部を上下移動するための突出ピンと、駆動系の駆動ギヤと一体に設けられたラック用ギヤ歯部と噛み合いディスクを読み取り操作する光学系が設けられたピックアップを前後移動するためにピックアップの側端に一体に形成されたピニオン歯とを有し、１つの駆動モータの回転駆動で、ディスクの出し入れ移動とチャッキング機構部の上下移動とピックアップの前後移動とを自動的に行うように構成したので、以下に述べる効果を奏する。
【００２１】
即ち、１つの駆動モータで、ディスクの装置本体内への出し入れ移動とチャッキング機構部の上下移動とピックアップの前後移動とを自動的に行うことができて、駆動モータの数を削減することができてコストダウンを図れ、装置本体内の省スペース化を図れて装置全体を小型化でき、構造を比較的簡単化することができる。
【図面の簡単な説明】
【図１】実施形態のディスク装置を示し、ディスクを装置本体内にセットした状態の概略平面図である。
【図２】同装置におけるディスクを外部に向けて移動する状態を示す概略平面図である。
【図３】同装置におけるディスクを装置本体内から外部へ移動するための上下２本の長尺ローラとその間隙にディスクが入り込んだ状態を示す部分正面図である。
【図４】同装置におけるチャッキング機構部を上下移動するための上下移動機構部分を示し、（ａ）はそのチャッキング機構部が下側に位置している状態の部分正面図、（ｂ）はそのチャッキング機構部が上側に移動された状態の部分正面図である。
【図５】従来のディスクプレーヤの全体構造を示す平面図である。
【図６】同ディスクプレーヤにおける切り換えギヤがディスクギヤ列側に位置している状態下での構造を示す平面図である。
【図７】図５におけるＸ−Ｘ線に沿った構造を示す側面図である。
【図８】従来のミニディスクプレーヤの駆動装置を示し、（ａ）はその遊び歯車とローディングギヤが接続された状態を示す平面図、（ｂ）はその遊び歯車とピックアップ駆動ギヤが接続された状態を示す平面図である。
【図９】従来のフロントローディングディスクプレーヤを示し、（ａ）はその内部構造を示す平面図、（ｂ）はその側面図である。
【図１０】従来のミニディスクプレーヤの駆動装置を示し、（ａ）はそのディスクがローディングされる前の初期状態を示す平面図、（ｂ）はそのディスクがローディング完了した状態を示す平面図である。
【符号の説明】
Ｄ            ディスク
１            装置本体
２            ターンテーブル
３            クランパ
４            チャッキング機構部
５            光学系
６            ピックアップ
７            駆動モータ
８            スクリューギヤ
９            駆動ギヤ
９ａ          ラック用ギヤ歯部
１０          駆動系
１１          ギヤ群
１２          最前列のギヤ
１３          第１二重ギヤ
１３ａ        水平ギヤ部
１３ｂ        傘歯車
１４          第２二重ギヤ
１４ａ        水平向きの傘歯車
１４ｂ        垂直向きのギヤ歯
１５          ギヤ歯部材
１６          従動ギヤ
１７          間隙
１８、１９    長尺ローラ
２２          平板部材
２２ａ        ガイド溝部
２３          カムスライダー
２３ａ        軸部
２３ｂ        縦壁部
２３ｃ        カム溝
２４          ラック部
２５          突出ピン
２６          ピニオン歯
【図１】
0003707454.tif 000002
【図２】
0003707454.tif 000003
【図３】
0003707454.tif 000004
【図４】
0003707454.tif 000005
【図５】
0003707454.tif 000006
【図６】
0003707454.tif 000007
【図７】
0003707454.tif 000008
【図８】
0003707454.tif 000009
【図９】
0003707454.tif 000010
【図１０】
0003707454.tif 000011